(57)【要約】【課題】  通常再生用の動画像データの転送レートが高い一方で、受信側の外部装置の処理能力及び表示能力が低い場合でも、受信内容の確認のための再生を可能とする。【解決手段】  通常再生用の動画像データの転送レートが高く、パーソナルコンピュータの処理能力および表示能力が低い場合には、受信した通常再生用の動画像データを復号して表示する代わりに、受信した高速再生用の画像データを復号して表示する。【選択図】図１
2006345098.tif 000002
【特許請求の範囲】
【請求項１】
動画像データと前記動画像データのダイジェストデータとを出力する画像出力装置と接続し、出力された前記動画像データと前記ダイジェストデータとを受信する受信装置であって、
前記画像出力装置から前記動画像データ及び前記ダイジェストデータを受信するための受信インタフェースと、
前記受信インタフェースを介して受信した動画像データ及び前記ダイジェストデータを記憶する記憶手段と、
少なくとも前記動画像データ及び前記ダイジェストデータのいずれかを表示手段に表示するための表示制御手段と、
前記表示制御手段における処理能力と、前記動画像データの転送レートとに基づいて、前記動画像データと前記ダイジェストデータとのいずれかを選択する選択手段と
を備え、
前記表示制御手段は、前記選択手段により選択された前記動画像データと前記ダイジェストデータとのいずれかを、前記表示手段に表示することを特徴とする受信装置。
【請求項２】
前記動画像データはフレーム間符号化されており、
前記表示制御手段は、少なくとも、該動画像データの復号を行う処理手段と、復号された前記動画像データを前記表示手段に表示するために一時的に記憶する一時記憶手段とを備え、
前記処理能力には、前記処理手段の処理速度と、前記一時記憶手段の記憶容量とが含まれ、
前記選択手段は、該処理能力に基づいて許容される最大の転送レートが、前記動画像データの転送レートよりも高い場合には前記動画像データを選択し、前記動画像データの転送レートよりも低い場合には前記ダイジェストデータを選択することを特徴とする請求項１に記載の受信装置。
【請求項３】
前記ダイジェストデータは、フレーム間符号化された前記動画像データのうち、フレーム内符号化により符号化されたフレームの画像データのみで構成されることを特徴とする請求項２に記載の受信装置。
【請求項４】
前記選択手段は、前記受信装置のユーザより前記動画像データ及び前記ダイジェストデータのいずれかの指定を受け付ける指定受付手段を備え、前記ユーザから前記指定を受け付けた場合には、受け付けた前記指定に応じて前記動画像データと前記ダイジェストデータとのいずれかを選択することを特徴とする請求項１乃至３のいずれかに記載の受信装置。
【請求項５】
前記受信インタフェースは、ＩＥＥＥ１３９４規格に従ったものであることを特徴とする請求項１乃至４のいずれかに記載の受信装置。
【請求項６】
前記受信インタフェースは、ＵＳＢ規格に従ったものであることを特徴とする請求項１乃至４のいずれかに記載の受信装置。
【請求項７】
動画像データと前記動画像データのダイジェストデータを出力する画像出力装置と接続し、出力された前記動画像データと前記ダイジェストデータとを受信し、少なくとも前記動画像データ及び前記ダイジェストデータのいずれかを表示手段に表示するための表示制御手段を備える受信装置の制御方法であって、
前記画像出力装置から前記動画像データ及び前記ダイジェストデータを受信インタフェースにより受信する工程と、
前記受信工程において受信された動画像データ及び前記ダイジェストデータを記憶手段に記憶する記憶工程と、
前記表示制御手段における処理能力と、前記動画像データの転送レートとに基づいて、前記動画像データと前記ダイジェストデータとのいずれかを選択する選択工程と、
前記選択工程で選択された前記動画像データと前記ダイジェストデータとのいずれかを、前記表示制御手段が前記表示手段に表示する表示工程と
を備えることを特徴とする受信装置の制御方法。
【請求項８】
前記動画像データはフレーム間符号化されており、
前記表示制御手段は、少なくとも、該動画像データの復号を行う処理手段と、復号された前記動画像データを前記表示手段に表示するために一時的に記憶する一時記憶手段とを備え、
前記処理能力には、前記処理手段の処理速度と、前記一時記憶手段の記憶容量とが含まれ、
前記選択工程では、該処理能力に基づいて許容される最大の転送レートが、前記動画像データの転送レートよりも高い場合には前記動画像データを選択し、前記動画像データの転送レートよりも低い場合には前記ダイジェストデータを選択することを特徴とする請求項７に記載の受信装置の制御方法。
【請求項９】
前記ダイジェストデータは、フレーム間符号化された前記動画像データのうち、フレーム内符号化により符号化されたフレームの画像データのみで構成されることを特徴とする請求項８に記載の受信装置の制御方法。
【請求項１０】
前記選択工程では、前記受信装置のユーザより前記動画像データ及び前記ダイジェストデータのいずれかの指定を受け付ける指定受付工程を備え、前記ユーザから前記指定を受け付けた場合には、受け付けた前記指定に応じて前記動画像データと前記ダイジェストデータとのいずれかを選択することを特徴とする請求項７乃至９のいずれかに記載の受信装置の制御方法。
【請求項１１】
前記受信インタフェースは、ＩＥＥＥ１３９４規格に従ったものであることを特徴とする請求項７乃至１０のいずれかに記載の受信装置の制御方法。
【請求項１２】
前記受信インタフェースは、ＵＳＢ規格に従ったものであることを特徴とする請求項７乃至１０のいずれかに記載の受信装置の制御方法。
【請求項１３】
コンピュータを、請求項１乃至６のいずれかに記載の受信装置として機能させるためのコンピュータプログラム。
【請求項１４】
請求項１３に記載のコンピュータプログラムを記憶する、コンピュータで読み取り可能な記憶媒体。
【発明の詳細な説明】
【技術分野】
【０００１】
本発明は、受信装置及びその制御方法、コンピュータプログラム及び記憶媒体に関する。
【背景技術】
【０００２】
従来、画像データを符号化して磁気テープに記録再生するデジタルＶＴＲが知られている。また、近年では、画像データをＭＰＥＧ方式などのフレーム間符号化方式を用いて符号化し、磁気テープに記録再生する装置も知られている。
【０００３】
ここで、ＭＰＥＧ方式では、画像データのフレーム間の差分を符号化しているため、この差分データだけでは復号することができず、復号するために参照用のフレームの画像データが必要となる。また、ＭＰＥＧ符号化された画像データでは各フレームのデータ量がまちまちであるため、磁気テープ上での各フレームのデータの記録位置も一定ではない。そのため、このようにＭＰＥＧ符号化されて記録された画像データを高速再生する場合、磁気ヘッドはテープ上のトラックを正確に走査することができないので、テープ上に記録されたデータを全て再生することができず、離散的に再生されることになる。
【０００４】
そのため、フレーム間符号化された差分データと参照用フレームのデータとが共に得られる可能性が非常に低くなり、高速再生時にはフレーム内符号化されたフレームの画像データのみが復号可能となり、良好な再生画像を得ることが困難になる。
【０００５】
そこで、通常の符号化画像データとは別に、フレーム内符号化された画像データのみを用いて高速再生用の画像データを生成し、この高速再生用の画像データを、各トラック上で高速再生時にヘッドが走査する位置に記録する技術が提案されている（特許文献１を参照）。これによれば、高速再生時においても良好な再生画像を得ることが可能となる。
【０００６】
また、以下のような技術も提案されている（特許文献２を参照。）。まず、テープ状記録媒体に、ＭＰＥＧ２のパケッタイズド・エレメンタリ・ストリーム(ＰＥＳ)形式に従い符号化された通常再生用の動画像データと、高速再生用の画像データとからなる動画像データ列とを記録して多数のトラックが形成する。そして、通常再生用の動画像データと高速再生用の画像データとを再生しデジタルデータとして出力する場合には、再生されたＰＥＳ形式の通常再生用の動画像データと高速再生用画像データとを、ＭＰＥＧ２のトランスポートストリーム(ＴＳ)形式にて多重化してデジタルインターフェース(ＤＩＦ)に出力する。
【特許文献１】特開平９−２１４８８９号公報
【特許文献２】特開２００４−２４２１７２号公報
【発明の開示】
【発明が解決しようとする課題】
【０００７】
以上の従来技術のうち特許文献２に対応するものでは、高速再生用画像データは符号化された状態で多重化されて、ＤＩＦに出力される点に特徴がある。従って、出力先の外部装置は、高速再生用画像データを新たに生成する必要がない。
【０００８】
また、外部装置における処理に更に着目すると、再生装置から出力された通常再生用の動画像データと高速再生用の画像データを受信した際には、受信内容を目視で確認するために、動画像データを復号して装置の表示部に表示することができる。その際、通常再生用の動画像データの転送レートが高い一方で、外部装置の処理能力及び表示能力が低い場合には、通常再生用の動画像データを復号し表示部に表示する際に復号化処理および表示処理が間に合わず、表示画面にブロックノイズ等の乱れが発生する虞がある。
【０００９】
そこで、本発明はこのような問題を解決し、通常再生用の動画像データの転送レートが高い一方で、受信側の外部装置の処理能力及び表示能力が低い場合でも、受信内容の確認のための再生を可能とすることを目的とする。
【課題を解決するための手段】
【００１０】
上記課題を解決するための本発明は、動画像データと前記動画像データのダイジェストデータとを出力する画像出力装置と接続し、出力された前記動画像データと前記ダイジェストデータとを受信する受信装置であって、前記画像出力装置から前記動画像データ及び前記ダイジェストデータを受信するための受信インタフェースと、前記受信インタフェースを介して受信した動画像データ及び前記ダイジェストデータを記憶する記憶手段と、画像を再生表示するための表示手段と、少なくとも前記動画像データ及び前記ダイジェストデータのいずれかを前記表示手段に表示するための表示制御手段と、前記表示制御手段における処理能力と、前記動画像データの転送レートとに基づいて、前記動画像データと前記ダイジェストデータとのいずれかを選択する選択手段とを備え、前記表示制御手段は、前記選択手段により選択された前記動画像データと前記ダイジェストデータとのいずれかを、前記表示手段に表示することを特徴とする。
【発明の効果】
【００１１】
本発明によれば、通常再生用の動画像データの転送レートが高い一方で、受信側の外部装置の処理能力及び表示能力が低い場合でも、受信内容の確認のための再生が可能となる。
【発明を実施するための最良の形態】
【００１２】
以下、本発明の実施の形態について説明する。
【００１３】
［第１の実施形態］
図１は本発明のアプリケーションが動作する、受信装置としてのパーソナルコンピュータ２０の構成を示す図である。パーソナルコンピュータ２０は、パーソナルコンピュータ２０に対して動画像データを出力する画像出力装置としての再生装置１０とデジタルインターフェース部２１を介して接続されている。デジタルインターフェース部２１は、例えばＩＥＥＥ１３９４インターフェースとして実現することができる。また、再生装置１０は、例えばデジタルビデオカメラが該当するが、これ以外にも、動画を撮影し、撮影した動画をパーソナルコンピュータ２０に対して出力可能なデジタルスチルカメラやノートパソコン、ＰＤＡ等の情報処理装置であってもよい。また、パーソナルコンピュータ２０は、表示装置３０と接続されている。表示装置３０は、好ましくはパーソナルコンピュータ用の出力用モニタである。再生装置１０は、フレーム内符号化とフレーム間符号化とを用いて符号化された通常再生用の動画像データと、該通常再生用の動画像データのダイジェストデータとしての高速再生用の画像データとをＩＥＥＥ１３９４インターフェースを利用して送信する。
【００１４】
なお、本実施形態において通常再生用の動画像データとは、動画像信号をＭＰＥＧ-２方式にしたがって圧縮符号化したエレメンタリ・ストリームを、ＭＰＥＧ-２ ＴＳ(トランスポート・ストリーム)形式でパケット化したMPEG-２ ＴＳデータのことを言う。
【００１５】
ここで、高速再生用の画像データ構造について図２を参照して説明する。高速再生用の画像データは、動画像信号をＭＰＥＧ-２方式で符号化したデータであるビデオＥＳ(エレメンタリ・ストリーム)のうち、フレーム内符号化されたフレーム（Ｉフレーム）の画像データのみを用いて生成される。高速再生用の画像データでは、図２に示すように、１４４０(pixels)×１０８８(lines)の解像度からなるＩフレームの画像データが、１６画素×１６画素のマクロブロック(ＭＢ)により９０×６８（個）に分割される。ここで、各マクロブロックの輝度情報(Y０、Y１、Y２、Y３)はそれぞれ６bitsで表現され、各マクロブロックの色差情報(Cr、Cb)はそれぞれ５bitsで表現される。
【００１６】
よって、高速再生用の画像データの解像度は１８０×１３６となる。フレーム内符号化されたＩフレームは１ＧＯＰ(Group of Pictures)の先頭にのみ含まれ、１ＧＯＰは０.５秒分の映像に相当するため、再生装置１０は０.５秒毎に高速再生用の画像データ（１フレーム分）を送信する。
【００１７】
高速再生用の画像データは、ＭＰＥＧ-２のトランスポートストリーム(ＴＳ)形式にて通常再生用の動画像データと多重してＩＥＥＥ１３９４インターフェースに送信する。
【００１８】
図１に戻って、パーソナルコンピュータ２０のメモリ２６上には、本実施形態に対応するアプリケーションプログラムが、後述の記録部２５よりロードされる。メモリ２６上にロードされた該アプリケーションプログラムは、ＣＰＵ２４により実行される。このアプリケーションプログラムが実行されると、デジタルインターフェース部２１を介して受信した通常再生用の動画像データと高速再生用の画像データとが、ブリッジ２（２２）を介して記録部２５に記録される。記録部２５は、ハードディスクや書き込み可能なＤＶＤ等の記録メディアで構成されてもよい。
【００１９】
また、アプリケーションプログラムの実行により、デジタルインターフェース部２１を介して受信した通常再生用の動画像データと高速再生用の画像データとは、ブリッジ１（２３）を介してメモリ２６に転送される。転送後、ＣＰＵ２４により復号され、復号して得られたＲＧＢまたはＹＵＶ(輝度・色差)情報データは、ビデオカード２７を介して表示装置３０に出力され、画像データが再生される。
【００２０】
次に、本実施形態に対応するパーソナルコンピュータ２０で実行されるアプリケーションの動作について、図３を参照して説明する。
【００２１】
図３において、ステップＳ１００では、パーソナルコンピュータ２０における最大転送レート（Ａ）を取得する。この最大転送レートは、パーソナルコンピュータ２０の処理能力と表示能力との組合せに基づいて許容される、動画像データの最大の転送レートである。ここで、該処理能力は、動画像データの復号を行う処理手段であるところのＣＰＵ２４の処理速度に基づいて求められる。また、該表示能力は、表示装置３０に復号された動画像データを表示するための一時記憶手段であるところの、ビデオカード２７のビデオメモリ容量等のスペックにより求められる。よって、最大転送レート内の転送レートを有する通常再生用の動画像データであるＭＰＥＧ-２エレメンタリストリームを復号した場合には、映像にノイズ等乱れなく表示が可能となる。
【００２２】
次に、ステップＳ１１０にて、再生装置１０から送信されたＭＰＥＧ-２ ＴＳデータの転送レート（Ｂ）を取得する。この転送レートの取得は、ＩＥＥＥ１３９４のＡＶＣコマンドである“Output Plug Signal Format”コマンドを再生装置１０に対して送信し、その応答により取得することができる。
【００２３】
次に、ステップＳ１２０にて、再生装置１０から受信した画像データを記録部２５に記録する。より具体的には、デジタルインターフェース部２１から通常再生用の動画像データ、又は、高速再生用の画像データを受信すると、受信データからIsochronousパケットヘッダおよびＣＩＰ(Common Isochronous Packet)ヘッダを除去する。その後、画像データをブリッジ２（２２）を介して記録部２５に記録する。
【００２４】
ステップＳ１３０では、ステップＳ１００で取得した最大転送レートＡとステップＳ１１０で取得した転送レートＢとを比較する。ここでもしＡ＞Ｂであれば、パーソナルコンピュータ２０の処理能力および表示能力は、ＭＰＥＧ-２ ＴＳの通常再生用の動画像データを復号してノイズ等乱れなく表示可能なレベルにあると判断できる。その場合（ステップＳ１３０で「ＹＥＳ」）は、ステップＳ１４０に進む。一方、Ａ＜Ｂであれば、パーソナルコンピュータの処理能力および表示能力は、ＭＰＥＧ-２ ＴＳの通常再生用の動画像データを復号してノイズ等乱れなく表示するには不足であると判断できる。その場合（ステップＳ１３０で「ＮＯ」）には、ステップＳ１５０に進む。
【００２５】
より具体的に、アプリケーションは、例えば転送レート２７Ｍｂｐｓ(Megabits per second)の転送レートを持つＭＰＥＧ-２ ＴＳデータを復号し、ノイズ等乱れなく表示するために、パーソナルコンピュータには最低のＣＰＵ処理能力として３ＧＨｚ以上を要求し、ビデオカードの最低メモリ容量として８ＭＢｙｔｅｓ(Mega Bytes)を要求することができる。なお、ここに挙げる数値はあくまで例示的なものであって、本発明の範囲がこれらの数値に限定されるものではない。この場合、パーソナルコンピュータのＣＰＵ処理能力が２ＧＨｚ、ビデオカードのメモリ容量が４Ｍｂｙｔｅｓであれば、２７Ｍｂｐｓの転送レートを持つ画像データの復号は、ノイズなどの乱れなく行うことは困難と判定される。
【００２６】
次に、ステップＳ１４０では、通常再生用の動画像データの再生を行う。具体的には、通常再生用をブリッジ２（２２）及びブリッジ１（２３）を介してメモリ２６に転送する。メモリ２６に転送された通常再生用の動画像データからはＴＳヘッダが除去され、ビデオエレメンタリストリームとオーディオエレメンタリストリームに分離される。まず、ビデオエレメンタリストリームは復号され、RGBデータまたはYUVデータの形式で、ビデオカード２７を介して表示装置３０に出力される。
【００２７】
一方、ステップＳ１５０では、高速再生用の画像データの再生を行う。具体的には、IEEE１３９４インターフェースであるデジタルインターフェース部２１から受信した高速再生用の画像データの１フレーム分をブリッジ２（２２）及びブリッジ１（２３）を介してメモリ２６に転送する。メモリ２６に転送された高速再生用の画像データの１フレーム分は復号され、RGBデータまたはYUVデータの形式でビデオカード２７を介して表示装置３０に出力される。ここで、高速再生用の画像データは、図２に示すように既に輝度、色差情報で表現されているため、復号は容易であり、また、０.５秒に１度しか復号、表示の必要がないため、ＣＰＵ２４の処理能力もほとんど必要としない。また表示サイズも小さいため、表示に必要な能力も極めて少ない。
【００２８】
なお、上記のフローチャートに従って、受信装置であるパーソナルコンピュータ２０にて画像データの再生を行う場合、各ブロックに示された動作を実行する順序は、図３に示したものに限定されない。例えば、連続する２つのブロックは、実際には、実質的に同時に実行されても良く（例えばステップＳ１２０とＳ１３０）、また、包含される機能に応じて逆順序においてブロックが実行されても良い（例えば、ステップＳ１００とＳ１１０）。
【００２９】
以上のように、本実施形態に対応する受信装置では、再生装置からＩＥＥＥ１３９４規格に対応したデジタルインタフェースを介して受信した動画像データにつき、受信装置における画像データの処理能力及び表示能力に応じて、通常再生用の動画像データ、又は、高速再生用の画像データのいずれかを選択することができる。これにより、受信装置の処理能力に見合った動画像再生を行うことができる。従って、処理能力及び表示能力の高い受信装置では、高品質の通常再生用の動画像データをノイズなどの乱れなく表示することが可能となる一方で、能力の低い受信装置では、高速再生用画像データにより、受信した画像データの内容を効率的に確認することが可能となる。
【００３０】
［第２の実施形態］
上記第１の実施形態では、図１のデジタルインターフェース部２１が、ＩＥＥＥ１３９４の場合について記載した。これに対し、本実施形態では、該デジタルインターフェース部２１がＵＳＢ(Universal Serial Bus)である場合について説明する。以下、本実施形態に対応するパーソナルコンピュータ２０で実行されるアプリケーションの動作について、図４を参照して説明する。
【００３１】
まず、本実施形態では、再生装置１０は、高速再生用の画像データをＵＳＢのIsochronous転送で送信するか、またはInterrupt転送で送信するか、またはBulk転送で送信する。
【００３２】
ステップＳ２００にて、パーソナルコンピュータ２０における最大転送レート（Ａ）を取得する。この最大転送レートについては、第１の実施形態と同様であり、パーソナルコンピュータ２０の処理能力、即ちＣＰＵ２４の処理速度と、表示能力すなわちビデオカード２７のビデオメモリ容量等のスペックの組み合わせにより求められる。
【００３３】
次に、ステップＳ２１０にて、再生装置１０から送信されたＭＰＥＧ-２ ＴＳデータの転送レート（Ｂ）を取得する。この転送レートの取得は、ＵＳＢ Video Class規格のコントロールであるVideo Probe/Commit Controlを再生装置１０に対して送信し、そのレスポンスデータのdwMaxPayloadTransferSizeによって取得することができる。
【００３４】
次に、ステップＳ２２０にて、再生装置１０から受信した画像データを記録部２５に記録する。より具体的には、まずUSBインターフェース２１から通常再生用の動画像データ、又は、高速再生用の画像データを受信すると、USB Video Class規格のストリームヘッダ（Stream Header）を除去する。その後、画像データをブリッジ２（２２）を介して記録部２５に記録する。
【００３５】
次に、ステップＳ２３０にて、ステップＳ２００で取得した最大転送レートＡとステップＳ２１０で取得した転送レートＢを比較する。ここで、Ａ＞Ｂであれば、パーソナルコンピュータ２０の処理能力および表示能力は、ＭＰＥＧ-２ ＴＳの通常再生用の動画像データを復号してノイズ等乱れなく表示可能であると判断できる。その場合（ステップＳ２３０で「ＹＥＳ」）は、ステップＳ２４０に進む。
【００３６】
一方、Ａ＜Ｂであれば、パーソナルコンピュータ２０の処理能力および表示能力はＭＰＥＧ-２ ＴＳの通常再生用の動画像データを復号してノイズ等乱れなく表示するには不足であると判断できる。その場合（ステップＳ２３０で「ＮＯ」）には、ステップＳ２５０に進む。
【００３７】
より具体的に、本実施形態においても第１の実施形態と同様に、アプリケーションは、例えば転送レート２７Ｍｂｐｓ(Megabits per second)の転送レートを持つＭＰＥＧ-２ ＴＳデータを復号し、ノイズ等乱れなく表示するために、パーソナルコンピュータには最低のＣＰＵ処理能力として３ＧＨｚ以上を要求し、ビデオカードの最低メモリ容量として８ＭＢｙｔｅｓ(Mega Bytes)を要求することができる。なお、ここに挙げる数値はあくまで例示的なものであって、本発明の範囲がこれらの数値に限定されるものではない。この場合、パーソナルコンピュータのＣＰＵ処理能力が２ＧＨｚ、ビデオカードのメモリ容量が４Ｍｂｙｔｅｓであれば、２７Ｍｂｐｓの転送レートを持つ画像データの復号は、ノイズなどの乱れなく行うことは困難と判定される。
【００３８】
次に、ステップＳ２４０では、通常再生用の動画像データの再生を行う。具体的には、ＵＳＢインターフェースであるデジタルインターフェース部２１から受信した通常再生用の動画像データであるＭＰＥＧ-２ ＴＳデータをブリッジ２（２２）及びブリッジ１（２３）を介してメモリ２６に転送する。メモリ２６に転送された通常再生用の動画像データであるMPEG-２ ＴＳデータはＴＳヘッダが除去され、ビデオエレメンタリストリームとオーディオエレメンタリストリームに分離される。ビデオエレメンタリストリームは復号され、RGBデータまたはYUVデータの形式でビデオカード２７を介して表示装置３０に出力される。
【００３９】
一方、ステップＳ２５０では、高速再生用の画像データの再生を行う。具体的には、USBインターフェースであるデジタルインターフェース部２１から受信した図２に示す高速再生用の画像データ１フレーム分を、ブリッジ２（２２）及びブリッジ１（２３）を介してメモリ２６に転送する。メモリ２６に転送された高速再生用の画像データ１フレーム分は復号され、RGBデータまたはYUVデータの形式でビデオカード２７を介して表示装置３０に出力される。
【００４０】
なお、上記のフローチャートに従って、受信装置であるパーソナルコンピュータ２０にて画像データの再生を行う場合、各ブロックに示された動作を実行する順序は、図４に示したものに限定されない。例えば、連続する２つのブロックは、実際には、実質的に同時に実行されても良く（例えばステップＳ２２０とＳ２３０）、また、包含される機能に応じて逆順序においてブロックが実行されても良い（例えば、ステップＳ２００とＳ２１０）。
【００４１】
以上のように、本実施形態に対応する受信装置では、再生装置からＵＳＢ規格に対応したデジタルインタフェースを介して受信した動画像データにつき、受信装置における画像データの処理能力及び表示能力に応じて、通常再生用の動画像データ、又は、高速再生用の画像データのいずれかを選択することができる。これにより、受信装置の処理能力に見合った動画像再生を行うことができる。従って、処理能力及び表示能力の高い受信装置では、高品質の通常再生用の動画像データをノイズなどの乱れなく表示することが可能となる一方で、能力の低い受信装置では、高速再生用画像データにより、受信した画像データの内容を効率的に確認することが可能となる。
【００４２】
［第３の実施形態］
上記の第１及び第２の実施形態では、受信装置において再生される動画像データの選択は、アプリケーションによって自動で行われていた。これに対し、本実施形態では、通常再生用と高速再生用のいずれの画像データを再生するかについて、受信装置であるパーソナルコンピュータ２０のユーザーが手動で指定できるようにする。
【００４３】
本実施形態に対応するアプリケーションでの処理の流れを、図５のフローチャートを参照して以下に説明する。
【００４４】
まず、ステップＳ３００にて、デジタルインターフェース２１から、通常再生用の動画像データ又は高速再生用の画像データを受信する。ここで、デジタルインターフェース２１がＩＥＥＥ１３９４の場合には、IsochronousパケットヘッダおよびCIP(Common Isochronous Packet)ヘッダを除去する。一方、デジタルインターフェース２１がＵＳＢの場合には、ＵＳＢ Video Classのストリームヘッダ（Stream Header）を除去する。ヘッダ除去の後、動画再生用の画像データ又は高速再生用の画像データを、ブリッジ２（２２）を介して記録部２５に記録する。
【００４５】
ここで、ユーザーによりプレビューモードの選択指示がなされない場合には、前述の第１の実施形態と同様、パーソナルコンピュータ２０の処理能力に応じて表示する画像データを選択する。
【００４６】
一方、ステップＳ３１０にて、受信装置であるパーソナルコンピュータ２０のユーザから、プレビューモードの選択を受け付けた場合、表示装置３０に対し図６に示すような画面６００を表示する。ユーザは、この画面６００を確認し、通常再生用の動画像データによる「通常プレビューモード」又は、高速再生用の画像データによる「簡易プレビューモード」のいずれかを選択することができる。即ち、このプレビューモードの選択により、ユーザは、通常再生用の動画像データと高速再生用の画像データとのいずれかの指定を行うことが可能となる。
【００４７】
ステップＳ３２０では、ユーザーから受け付けた選択内容を判定する。もし、通常再生用の動画像データによる「通常プレビューモード」が選択されている場合（ステップＳ３２０で「ＹＥＳ」）には、ステップＳ３４０に移行する。一方、「簡易プレビューモード」が選択されている場合（ステップＳ３２０で「ＮＯ」）には、ステップＳ３４０に進む。
【００４８】
ステップＳ３３０では、通常再生用の動画像データの再生を行う。具体的には、まず、デジタルインターフェース部２１から受信した通常再生用の動画像データであるＭＰＥＧ-２ ＴＳデータを、ブリッジ２（２２）及びブリッジ１（２３）を介してメモリ２６に転送する。メモリ２６に転送された画像データからはＴＳヘッダが除去され、ビデオエレメンタリストリームとオーディオエレメンタリストリームに分離される。更に、ビデオエレメンタリストリームは復号され、RGBデータまたはYUVデータの形式でビデオカード２７を介して表示装置３０に出力される。
【００４９】
一方、ステップＳ３４０では、高速再生用の画像データの再生を行う。具体的には、デジタルインターフェース部２１から受信した図２に示す高速再生用の画像データ１フレーム分をブリッジ２（２２）及びブリッジ１（２３）を介してメモリ２６に転送する。メモリ２６に転送された高速再生用の画像データ１フレーム分は復号され、RGBデータまたはYUVデータの形式でビデオカード２７を介して表示装置３０に出力される。
【００５０】
なお、上記のフローチャートに従って、受信装置であるパーソナルコンピュータ２０にて画像データの再生を行う場合、各ブロックに示された動作を実行する順序は、図５に示したものに限定されない。例えば、連続する２つのブロックは、実際には、実質的に同時に実行されても良く（例えばステップＳ３００とＳ３１０）、また、包含される機能に応じて逆順序においてブロックが実行されても良い（例えば、ステップＳ３００とＳ３１０）。
【００５１】
以上のように、本実施形態に対応する受信装置では、再生装置からＩＥＥＥ１３９４やＵＳＢの規格に対応したデジタルインタフェースを介して受信した動画像データにつき、ユーザーからのプレビューモードの指定に応じて通常再生用の動画像データ、又は、高速再生用の画像データのいずれかを選択して、再生を行うことができる。即ち、ユーザーにより「通常プレビューモード」を選択された場合には、受信装置では通常再生用の動画像データを利用した再生を行い、「簡易プレビューモード」が選択された場合には、高速再生用の画像データを利用した再生を行うことができる。これにより、ユーザの好みに合わせた動画像再生を行うことができる。
【００５２】
なお、本実施形態においても、パーソナルコンピュータ２０の処理能力が低く、受信した通常再生用の画像データを正常に表示することができるか否かを判別することができる。その判別の結果、正常な表示が行えないと判断される場合には、ユーザーが「通常プレビューモード」を選択した際に、正常に表示できないことがある旨の表示を表示装置３０で行っても良い。
【００５３】
［その他の実施形態］
本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。
【００５４】
さらに、フロッピー（登録商標）ディスク、ハードディスク、光ディスク、磁気光ディスク、ＣＤ−ＲＯＭ、ＣＤ−Ｒ、磁気タイプや不揮発性タイプのメモリーカード及びＲＯＭのような記憶媒体を当該プログラムコードを提供するために利用することができる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００５５】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００５６】
本発明が上述の記憶媒体について適用される場合、当該記憶媒体は上記実施形態において記載されたフローチャートに対応するプログラムコードを格納することが好ましい。その一方、本発明は上述の実施形態に限定されることなく、本発明の精神及び範囲において様々な変更や修正を加えることが可能である。それゆえに、本発明の範囲を公に知らしめるべく以下の特許請求の範囲が作成される。
【図面の簡単な説明】
【００５７】
【図１】本発明の実施形態に対応する受信装置の構成の一例を示す図である。
【図２】本発明の実施形態に対応する、高速再生用の画像データの構造を説明するための図である。
【図３】本発明の第１の実施形態に対応する、アプリケーションプログラムによる処理の一例に対応するフローチャートである。
【図４】本発明の第２の実施形態に対応する、アプリケーションプログラムによる処理の一例に対応するフローチャートである。
【図５】本発明の第３の実施形態に対応する、アプリケーションプログラムによる処理の一例に対応するフローチャートである。
【図６】本発明の第３の実施形態に対応する、表示装置３０に表示される画面の一例を示す図である。
【図１】
2006345098.tif 000003
【図２】
2006345098.tif 000004
【図３】
2006345098.tif 000005
【図４】
2006345098.tif 000006
【図５】
2006345098.tif 000007
【図６】
2006345098.tif 000008